(57)【要約】【課題】人が通過する扉や、押し入れ等の物置やキャビネット等に使用できる引き戸兼用開き戸を提供すること。【解決手段】扉の四隅に設けられた空間に、操作部の操作によって引き戸から開き戸に、又はその逆に変換させることができる変換機構を設けてあり、前記変換機構は、上枠レールに対してガイド部が上下方向に出没すると共に前記ガイド部の突出位置又は没入位置で固定でき、下枠レールに対してガイド部が上下方向に出没すると共に突出位置又は没入位置で固定できる【選択図】図７
2010248686.tif 000002
【特許請求の範囲】
【請求項１】
扉の四隅に設けられた空間に、操作部の操作によって引き戸から開き戸に、又はその逆に変換させることができる変換機構を設けてあり、前記変換機構は、上枠レールに対してガイド部が上下方向に出没すると共に前記ガイド部の突出位置又は没入位置で固定でき、下枠レールに対してガイド部が上下方向に出没すると共に突出位置又は没入位置で固定できることを特徴とする引き戸兼用開き戸。
【請求項２】
上枠又は下枠レール側に突出するガイド部は軸体であり、その先端部は丸みを帯びた面としてあることを特徴とする請求項１記載の引き戸兼用開き戸。
【請求項３】
ガイド部の幅は上枠・下枠レールの幅よりも少し狭く設定してある第１部分と、これに繋がる軸体である第２部分とから構成されており、前記
第１部分と第２部分とは相対回動自在であることを特徴とする請求項１記載の引き戸兼用開き戸。
【請求項４】
扉の左右両側に設けられた空間に、それぞれ操作部の操作により引き戸から開き戸に、又はその逆に変換させる変換機構を設け、前記操作により、前記変換機構を構成する開き戸用ロッド又は引き戸用ロッドのうちいずれか一方が突出し、他方が没入するようにしてあり、開き戸用ロッドが突出しているときにのみ、当該開き戸用ロッドは上枠及び下枠側に穿設した円孔に回動可能に挿入され、引き戸用ロッドが突出しているときにのみ、上部ガイドが上枠レールに、下部ガイドが下枠レールに嵌まり込むように移動するようにしてあることを特徴とする引き戸兼用開き戸。
【発明の詳細な説明】
【技術分野】
【０００１】
この発明は、簡単な操作で引き戸と開き戸相互間で変更できる引き戸と開き戸に関するものである。
【背景技術】
【０００２】
個人の使い勝手に応じて、引き戸或いは開き戸のいずれにも使用できる扉としては、例えば特許文献１に示すようなものがある。
【０００３】
上記のものは、枠体の内部に左右方向に開閉される障子と、この障子内に前後方向に開閉可能な扉が設けられ、引き戸兼開き戸となされている。
【０００４】
しかしながら、上記の引き戸兼用開き戸の実質的な開口は、扉一枚分のみであり、実質的に使用範囲に乏しいものである。
【先行技術文献】
【特許文献】
【０００５】
【特許文献１】特開平８−３１２２５７号公報（図１〜図３参照）
【発明の概要】
【発明が解決しようとする課題】
【０００６】
そこで、この発明では、人が通過する扉や、押し入れ等の物置やキャビネット等に使用できる引き戸兼用開き戸を提供することを課題とする。
【課題を解決するための手段】
【０００７】
（請求項１記載の発明）
この発明の引き戸兼用開き戸は、扉の四隅に設けられた空間に、操作部の操作によって引き戸から開き戸に、又はその逆に変換させることができる変換機構を設けてあり、前記変換機構は、上枠レールに対してガイド部が上下方向に出没すると共に前記ガイド部の突出位置又は没入位置で固定でき、下枠レールに対してガイド部が上下方向に出没すると共に突出位置又は没入位置で固定できるものとしている。
（請求項２記載の発明）
この発明の引き戸兼用開き戸は、上記請求項１記載の発明に関し、上枠又は下枠レール側に突出するガイド部は軸体であり、その先端部は丸みを帯びた面としてある。
（請求項３記載の発明）
この発明の引き戸兼用開き戸は、上記請求項１記載の発明に関し、ガイド部の幅は上枠・下枠レールの幅よりも少し狭く設定してある第１部分と、これに繋がる軸体である第２部分とから構成されており、前記第１部分と第２部分とは相対回動自在である。
（請求項４記載の発明）
この発明の引き戸兼用開き戸は、扉の左右両側に設けられた空間に、それぞれ操作部の操作により引き戸から開き戸に、又はその逆に変換させる変換機構を設け、前記操作により、前記変換機構を構成する開き戸用ロッド又は引き戸用ロッドのうちいずれか一方が突出し、他方が没入するようにしてあり、開き戸用ロッドが突出しているときにのみ、当該開き戸用ロッドは上枠及び下枠側に穿設した円孔に回動可能に挿入され、引き戸用ロッドが突出しているときにのみ、上部ガイドが上枠レールに、下部ガイドが下枠レールに嵌まり込むように移動するようにしてある。
【発明の効果】
【０００８】
この発明の引き戸兼用開き戸によると、人が通過する扉や、押し入れ等の物置やキャビネット等に使用できる。
【図面の簡単な説明】
【０００９】
【図１】この実施例１における引き戸兼用開き戸であって引き戸として使用するときの部分断面図。
【図２】この実施例１における引き戸兼用開き戸であって開き戸として使用するときの部分断面図。
【図３】この実施例１における引き戸兼用開き戸であって開き戸として使用するときの部分断面図
【図４】前記引き戸兼用開き戸であって開き戸として使用するときの部分断面図。
【図５】この実施例２における引き戸兼用開き戸であって引き戸として使用するときの部分断面図。
【図６】この実施例２のおける引き戸兼用開き戸であって開き戸として使用するときの部分断面図。
【図７】この実施例３の実施例１の引き戸兼用開き戸Ｄにおいて、図７（ａ）引き戸の状態となっている斜視図、図７（ｂ）は引き戸兼用開き戸において、開き戸Ｄ２の状態となっている斜視図。
【図８】この実施例４の実施例１の引き戸兼用開き戸において、図８（ａ）引き戸の状態となっている斜視図、図７（ｂ）は引き戸兼用開き戸において、開き戸の状態となっている斜視図。
【発明を実施するための最良の形態】
【００１０】
以下にこの発明の引き戸兼用開き戸を実施するための最良の形態として実施例について詳しく説明する。
【実施例１】
【００１１】
図１は実施例１における引き戸兼用開き戸であって引き戸として使用するときの部分断面図、図２は実施例１における引き戸兼用開き戸であって開き戸として使用するときの部分断面図、図３は実施例１における引き戸兼用開き戸であって開き戸として使用するときの部分断面図、図４は前記引き戸兼用開き戸であって開き戸として使用するときの部分断面図を示している。
（この引き戸兼用開き戸Ｄの基本的な構造について）
この引き戸兼用開き戸Ｄは、図１〜図４に示すように、扉２の四隅に設けられた空間２０に、それぞれ操作部２１の操作により引き戸Ｄ１から開き戸Ｄ２に、又はその逆に変換させる変換機構３を設け、前記操作により、前記変換機構３を構成する開き戸用ロッド３０又は引き戸用ロッド３１のうちいずれか一方が突出し、他方が没入するようにしてあり、開き戸用ロッド３０が突出しているときにのみ、当該開き戸用ロッド３０は上枠１０及び下枠１１側に穿設した円孔１３に回動可能に挿入され、引き戸用ロッド３１が突出しているときにのみ、上部ガイド２２が上枠レール１４に、下部ガイド２２が下枠レール１５に、それぞれ嵌まり込む態様に移動ものとしている。
（この引き戸兼用開き戸Ｄの具体的な構成について）
「上枠１０及び下枠１１について」
上枠１０には、図１及び図２に示すように、下側に二本の上枠レール１４が形成されており、下枠１１には、図１に示すように、上側に二本の下枠レール１５が形成されている。また、上枠１０及び下枠１１には、図１に示すように、縦枠１２の近傍にはそれぞれ円孔１３を設けてある。
【００１２】
上枠１０と下枠１１とは上下対称となっている。
「扉２について」
扉２は、基本的には、図１や図２に示すように、扉本体２ａと上側の上部ガイド２２及び下側のガイド２３とから構成されている。
【００１３】
扉本体２ａの四隅には、図１や図２に示すように、空間２０を設けてあり、上端部及び下端部には凹み部２４を形成してある。そして、前記凹み部２４は、図１や図２に示すように、上部ガイド２２や下部ガイド２３が出没できるように挿入されている。
【００１４】
なお、上記した上部ガイド２２や下部ガイド２３には、図１や図２に示すように、後述する開き戸用ロッド３０の先端を円孔１３に嵌め込むための挿通孔２５を設けてある。
「変換機構３について」
変換機構３は、図２に示すように、操作部２１と、支点部３２と、伝達ロッド３３と、回動部３４と、ロッド取付板３５と、支点部３６と、開き用ロッド３０と、引き戸用ロッド３１とから構成されている。なお、開き戸用ロッド３０と引き戸用ロッド３１とは、図２に示すように、ロッド取付板３５に取り付けられている支点部３６を介してシーソー状に上下動するようになっている。
【００１５】
ここで、この変換機構３を、以下のようにして、引き戸Ｄ１から開き戸Ｄ２、またはその逆にドアの状態を変えることができる。
【００１６】
引き戸の状態にする場合
（１）引き戸Ｄ１にする場合、先ず、操作部２１を、支点部３２を中心として上側に回転移動させる。（図４から図２へ、以下同じ）
（２）回転ロッド３３が引き下がり、回動部３４を介して開き戸用ロッド３０は垂直に引き下がると同時に引き戸用ロッド３１が押し上がる。
（３）前記引き戸用ロッド３１の上昇に伴い上部ガイド２２が押し上がり、図４の状態から図２に示す如く、凹み部２４に入り込んでいた前記上部ガイド２２の上部側が上枠レール１４に入り込む。
（４）上記（１）〜（３）の動作は、扉２の下方側においても同じ動作をするようにしてある。
【００１７】
開き戸の状態にする場合
（５）開き戸Ｄ２にする場合、先ず、操作部２１を、支点部３２を中心として下側に回転移動させる。（図２から図４へ、以下同じ）
（６）回転ロッド３３が押し上がり、回動部３４を介して開き戸用ロッド３０は垂直に押し上がると同時に引き戸用ロッド３１が引き下がる。
（７）前記引き戸用ロッド３１の降下に伴い上部ガイド２２が引き上がり、図２の状態から図４に示す如く、凹み部２４に入り込んでいた前記上部ガイド２２の上部側が上枠レール１４に入り込む。
（８）上記（５）〜（７）の動作は、扉の下方側においても同じ動作をするようにしてある。
【００１８】
まとめ
以上のように、操作部２１の移動操作のみで、引き戸Ｄ１から開き戸Ｄ２、またはその逆にドアの状態を簡単に変えることができる。
【実施例２】
【００１９】
図５は実施例２における引き戸兼用開き戸であって引き戸として使用するときの部分断面図、図６は実施例２のおける引き戸兼用開き戸であって開き戸として使用するときの部分断面図を示している。
【００２０】
この実施例の引き戸兼用開き戸であって引き戸Ｄは、図２に示すように扉２の上下部のうち上部側については、上記実施例１のものと同様の構成としてあるが、下部側については、１つのピニオンギヤー６０を二つのラック部６１，６２で挟み込むようにし、ラック部６１に開き戸用ロッド３０に、ラック部６２引き戸用ロッド３１に、それぞれ接続するようにしてある。
【００２１】
上記構成によると、上側の操作２だけの操作により、変換機構３０を介して上記実施例１と同様の働きをすることになる。即ち、操作部２１の移動操作のみで、引き戸Ｄ１から開き戸Ｄ２、またはその逆にドアの状態を簡単に変えることができる。
【実施例３】
【００２２】
図７（ａ）は実施例１の引き戸兼用開き戸Ｄにおいて、引き戸Ｄ１の状態となっている斜視図、図７（ｂ）は引き戸兼用開き戸Ｄにおいて、開き戸Ｄ２の状態となっている斜視図を示している。
【００２３】
（この引き戸兼用開き戸Ｄの基本的な構造について）
この引き戸兼用開き戸Ｄでは、図７（ａ）（ｂ）に示すように、扉２の四隅に設けられた空間２０に、操作部２１の操作によって引き戸Ｄ１から開き戸Ｄ２に、又はその逆に変換させることができる変換機構３を設けてある。
【００２４】
前記変換機構３は、図７（ａ）に示すように上枠レール１４に対して上部ガイド２２が、上下方向に出没できると共に前記上部ガイド２２の突出位置ＴＰ又は没入位置ＢＴで固定できるようにしてあり、同様に図示しない下枠レールに対して下側ガイドが上下方向に出没すると共に突出位置又は没入位置で固定できるようにしてある。
【００２５】
ここで、図７（ａ）に示したものは、上部の一方に設けた変換機構３であるが、具体的には、空間２０の底面に立設された筒部５と、前記筒部５に切欠されてなる逆コ字状孔５０と、前記筒部５に上下動可能に挿入された上部ガイド２２と、前記逆コ字状孔５０から突出する操作部２１とから構成されており、操作部２１が逆コ字状孔５０の上側で位置決めされているときには、図７（ａ）に示すように、上枠レール１４内に上部ガイド２２が深く挿入されており、
操作部２が逆コ字状孔５０の下側で位置決めされているときには、図７（ｂ）に示すように上枠レール１４外に上部ガイド２２が突出した状態に位置決めされた状態となっている。
【００２６】
なお、下側の変換機構３は、上側の変換機構３と上下逆に取り付けてあるだけで機能は全く同じである。
【００２７】
また、操作部２１は相手側にある扉に当らない態様で空間２０内に設置するようにしておく。
【００２８】
さらに、この実施例の変換機構は、所謂門落としのようなものを使用できる。
（この引き戸兼用開き戸Ｄの機能について）
左右二枚の扉２の全ての変換機構３を図７（ａ）の状態にすると、引き戸Ｄ１になる。
【００２９】
これに対して、二枚の扉２の内側だけの変換機構３を図７（ｂ）の状態にすると、中央部側が開き戸Ｄ２になる
【実施例４】
【００３０】
図８（ａ）は実施例１の引き戸兼用開き戸Ｄにおいて、引き戸Ｄ１の状態となっている斜視図、図８（ｂ）は引き戸兼用開き戸Ｄにおいて、開き戸Ｄ２の状態となっている斜視図を示している。
【００３１】
（この引き戸兼用開き戸Ｄの基本的な構造について）
上記実施例４の引き戸兼用開き戸Ｄと基本的には、実施例３と同じ操作をするものであるが、相違する点は、上部ガイド２２Ｂの幅は上枠レール１４の幅よりも少し狭く設定してある第１部分５Ａと、これに繋がる軸体である第２部分Ｂとから構成されており、前記第１部分５Ａと第２部分２２Ｂとは相対回動自在でとなっている。
【００３２】
この実施例によると、操作部２１を上側から下側に下ろすべく操作をすると、
上部ガイド２２Ｂが上枠レール１４から外れるまで降下する。
【００３３】
なお、下側の変換機構３は、上側の変換機構３と上下逆に取り付けてあるだけで機能は全く同じである。
【００３４】
また、操作部２１は相手側にある扉に当らない態様で空間２０内に設置するようにしておく。
【００３５】
さらに、この実施例の変換機構は、所謂門落としのようなものを使用できる。
（この引き戸兼用開き戸Ｄの機能について）
左右二枚の扉２の全ての変換機構３を図２（ａ）の状態にすると、引き戸Ｄ１になる。
【００３６】
これに対して、二枚の扉２の内側だけの変換機構３を図２（ｂ）の状態にすると、中央部側が開き戸Ｄ２になる。
【符号の説明】
【００３７】
Ｄ          引き戸兼用開き戸
Ｄ１        引き戸
Ｄ２        開き戸
１０        上枠
１１        下枠
１２        縦枠
１３        円孔
１４        上枠レール
１５        下枠レール
２          扉
２０        空間
２１        操作部
２２        上部ガイド
２３        下部ガイド
２４        凹み部
３          変換機構
３０        開き戸用ロッド
３１        引き戸用ロッド
３２        支点部
３３        伝達ロッド
３４        回動部
３５        ロッド取付板
５          筒部  
５０        逆コ字状孔
ＴＰ        突出位置
ＢＴ        没入位置
５Ａ        第１部分
２２Ｂ      上部ガイド
【図１】
2010248686.tif 000003
【図２】
2010248686.tif 000004
【図３】
2010248686.tif 000005
【図４】
2010248686.tif 000006
【図５】
2010248686.tif 000007
【図６】
2010248686.tif 000008
【図７】
2010248686.tif 000009
【図８】
2010248686.tif 000010